(57)【要約】【課題】本発明は、コンクリート型枠締付け部材に関するものであり、型枠解体作業のため前記締付ナットを電動工具で緩める際、締付ナットが前記扁平潰し部分に食い込むのを防止したコンクリート型枠締付け部材を提供することを目的とする。【解決手段】ボルト部を有する略棒ねじ状の本体と、該本体に外嵌された座金と、前記本体ボルト部に嵌合された締付ナットとからなり、前記ボルト部の先端に扁平潰し部分を設けたコンクリート型枠締付け部材において、前記ボルト部の先端付近に、前記締付ナットの孔の内径より大きく、かつ該締付ナットの外径より小さい略円板状の抑止板を設けた構造とした。【選択図】図１
2015071887.tif 000002
【特許請求の範囲】
【請求項１】
ボルト部を有する略棒ねじ状の本体と、該本体に外嵌された座金と、前記本体ボルト部に嵌合された締付ナットとからなり、前記ボルト部の先端に扁平潰し部分を設けたコンクリート型枠締付け部材において、前記ボルト部の先端付近に、前記締付ナットの孔の内径より大きく、かつ該締付ナットの外径より小さい略円板状の抑止板を設けたことを特徴とするコンクリート型枠締付け部材。
【請求項２】
前記略円板状の抑止板を形成する手段として、略輪状の抑止板を前記ボルト部に嵌合した上、溶接して形成したことを特徴とする、請求項１記載のコンクリート型枠締付け部材。
【請求項３】
前記略円板状の抑止板を形成する手段として、溶融金属を盛り上げることにより形成したことを特徴とする、請求項１記載のコンクリート型枠締付け部材。
【発明の詳細な説明】
【技術分野】
【０００１】
本発明は、コンクリート成形用の型枠締付け部材に関するものである。
【背景技術】
【０００２】
コンクリートを打設成形する際、合板等からなるセキ板型枠の締付け部材として、ボルト部を有する略棒ねじ状の本体と、該本体に外嵌された座金と、該座金を介してパイプ材をセキ板に押さえつけるための前記本体ボルト部に嵌合された締付ナットとからなるコンクリート型枠締付け部材フォームタイ（登録商標）が広く使用されている。
この種のコンクリート型枠締付部材の着脱に関して、特開平６−３４４３２１号公報には、該コンクリート型枠締付け部材のボルト体の先端の扁平潰し部分に係合する嵌合部を備えた着脱工具についての発明が開示されている。
また、特開２００３−１４５４３７号公報には、該コンクリート型枠締付け部材のボルト部の先端の扁平潰し部分に係合する嵌合部を備えた、該コンクリート型枠締付け部材取り外し用のレンチについての発明が開示されている。
型枠に該コンクリート型枠締付け部材を装着し締付ける際には、該コンクリート型枠締付け部材のボルト部の先端の扁平潰し部分に嵌合する専用の着脱工具を用いて型枠への該コンクリート型枠締付け部材の装着を行った後、該コンクリート型枠締付け部材を構成する締付ナットを締付けて締付け圧力を調整するのが、現在広く知られている工法である。
【０００３】
一方、この種のコンクリート型枠締付部材の締付けを解除して型枠を取り外す型枠解体作業の際には、インパクトドライバなどの電動工具により該コンクリート型枠締付部材中の締付ナットを回転駆動させて緩めて締付部材を取り外すのが一般的であるが、締付ナットを電動工具で緩める際、強力な回転トルクにより、締付ナットが該コンクリート型枠締付部材から脱落するという課題があった。
このような該コンクリート型枠締付け部材を構成する締付ナットの脱落防止に関して、該コンクリート型枠締付け部材のボルト部の先端に大径フランジを設ける発明が、特開２００９−１１４８１８号公報に開示されている。
しかし、前述したとおり、この種のコンクリート型枠締付部材は一般的に該コンクリート型枠締付け部材のボルト部の先端に扁平潰し部分を設け、該扁平潰し部分に嵌合する専用の着脱工具を用いて型枠への装着が行われていることから、特開２００９−１１４８１８号公報に開示の発明には扁平潰し部分を有さないという問題があった。
【０００４】
このような背景から現在では、図５（Ａ）に示すように、コンクリート型枠締付け部材のボルト体３の先端に扁平潰し部分６を設けつつ、扁平潰し部分６にボルト体３のネジ山が連続しないようにネジ山を潰す、扁平潰し部分６を端がやや広がった構造とする等して締付ナットの脱落防止を図った製品が広く使われている。
しかし依然として、図５（Ｂ）に示すように、締付ナットが扁平潰し部分６に食い込み、これを緩めなければ締付ナットが回転させられなくなるという課題が残っている。
つまり、前記扁平潰し部分に嵌合する専用の着脱工具は、主に型枠の形成に携わるいわゆる型枠大工と呼ばれる作業者が所有している工具であり、型枠の解体作業に従事する作業者の中にはこれを所有していない者も多いという人為的な事情から、一般規格である締付ナットを電動工具で緩めて、そのままコンクリート型枠締付け部材ごと型枠から取り外すことが一般的に行われている。
その際に、締付ナットを電動工具で緩める際の強力な回転トルクにより、締付ナットが扁平潰し部分に強固に食い込んでしまうものである。
この種のコンクリート型枠締付け部材は、一度の工事に大量に使用され、かつ、複数回再利用を繰り返されるものであるところ、締付ナットが扁平潰し部分に食い込んでいる場合には、再利用前にその緩め作業が必要となる。電動工具の回転力による食い込みは強固な圧力がかかっており、これを緩めるためには電動工具を用いなければならないことも多く、一方で前記の通り一度の工事に大量使用されるために、緩め作業に人手と時間を割かなければならなかった。
さらに、該コンクリート型枠締付け部材の再利用時に扁平潰し部分に締付ナットが強固に食い込んだままの状態のものが混入していた場合、この締付ナットを緩めるために前記扁平潰し部分に嵌合する専用の着脱工具から、締付ナット用の一般規格のソケットに電動工具の先端ソケットを入れ替えるという作業が必要であり、作業効率を落としていた。
【先行技術文献】
【特許文献】
【０００５】
【特許文献１】特開平６−３４４３２１号公報
【特許文献２】特開２００９−１１４８１８号公報
【特許文献３】特開２００３−１４５４３７号公報
【発明の概要】
【発明が解決しようとする課題】
【０００６】
本発明は、ボルト部を有する略棒ねじ状の本体と、該本体に外嵌された座金と、該座金を介してパイプ材をセキ板に押さえつけるための前記本体ボルト部に嵌合された締付ナットとからなり、前記ボルト部の先端に扁平潰し部分を設けたコンクリート型枠締付け部材に関するものであり、型枠解体作業のため前記締付ナットを電動工具で緩める際、締付ナットが前記扁平潰し部分に食い込むのを防止したコンクリート型枠締付け部材を提供することを目的とする。
【課題を解決するための手段】
【０００７】
本発明に係るコンクリート型枠締付け部材は、ボルト部を有する略棒ねじ状の本体と、該本体に外嵌された座金と、該座金を介してパイプ材をセキ板に押さえつけるための前記本体ボルト部に嵌合された締付ナットとからなり、前記ボルト部の先端に扁平潰し部分を設けたコンクリート型枠締付け部材において、前記ボルト部の先端付近、好ましくは前記扁平潰し部分の手前２〜８ミリメートルの位置に、前記締付ナットの孔の内径より大きく、かつ該締付ナットの外径より小さい略円板状の抑止板を設けたことにより、前記締付けナットが前記扁平潰し部分に干渉しない構造であることを特徴とする。
【０００８】
略円板状の抑止板を設ける手段としては、前記ボルト部を有する略棒ねじ状の本体に嵌合した略円板状の抑止板を、溶接等の手段により接合してもよいし、前記ボルト部を有する略棒ねじ状の本体を、溶接等の手段により盛り上げてもよい。
【０００９】
ここで、略円板状の抑止板とは、発明を説明するための便宜的な呼称であって、必ずしも真円形に形成されている必要はなく、また、必ずしも板状に薄く形成されている必要はない。
なお、前記コンクリート型枠締付け部材の末端には、セパレータを螺合する差し込み孔を設ける必要があるが、コンクリート成形用の型枠工法に関する周知技術であり、本発明の本質とは無関係であるため、ここでは説明しない。
【発明の効果】
【００１０】
本発明に係るコンクリート型枠締付け部材は、型枠解体作業時に締付ナットを電動工具で緩めて、そのままコンクリート型枠締付け部材ごと型枠から取り外しても、締付ナットは抑止板に達した時点で回転駆動が抑止され、締付ナットが扁平潰し部分に食い込むことを防止する構造となっているため、該コンクリート型枠締付け部材の再利用前に扁平潰し部分に食い込んだ締付ナットを緩める作業が不要となる。
また、該コンクリート型枠締付け部材の再利用時に扁平潰し部分に締付ナットが強固に食い込んだままの状態のものが混入することもなく、再利用時の作業時間の短縮が図れる。
【図面の簡単な説明】
【００１１】
【図１】本発明の第１実施例に係る型枠締付け部材の平面図である。
【図２】本発明の第１実施例に係る型枠締付け部材の先端付近の拡大図である。
【図３】本発明の第１実施例に係る型枠締付け部材の先端方向からの水平図である。
【図４】本発明の第１実施例に係る型枠締付け部材の使用状態図である。
【図５】従来の一般的な型枠締付け部材の先端拡大図である。
【図６】本発明の第２実施例に係る型枠締付け部材の先端付近の拡大図である。
【図７】本発明の第３実施例に係る型枠締付け部材の先端方向からの水平図である。
【発明を実施するための最良の形態】
【００１２】
以下、本発明の実施の形態を図面に基づいて説明する。
【実施例１】
【００１３】
図１の平面図に示すように、本発明の第１実施例に係るコンクリート型枠締付け部材１は、ボルト部を有する略棒ねじ状の本体３と、該本体に外嵌された座金４と、該座金を介してパイプ材をセキ板に押さえつけるための前記本体ボルト部に嵌合された締付ナット５とからなり、前記ボルト部の先端に扁平潰し部分６を設け、前記ボルト部の先端付近に、前記締付ナットの孔の内径より大きく、かつ該締付ナットの外径より小さい略円板状の抑止板７を設けたことにより、前記締付けナット５が前記扁平潰し部分６に干渉しない構造であることを特徴とする。
本実施例における略円板状の抑止板は、略輪状の抑止板を前記ボルト部に嵌合した上、溶接して形成されている。
【００１４】
図２の先端付近の拡大図に示すように、本発明の第１実施例に係るコンクリート型枠締付け部材１は、締付ナット５を電動工具の回転により緩めても抑止板７に達した時点で締付ナット５の回転駆動が抑止され、締付ナット５が扁平潰し部分６に食い込むことを防止する構造となっている。これにより、該コンクリート型枠締付け部材１の再利用前に扁平潰し部分６に食い込んだ締付ナット５を緩める作業が不要となる。
また、該コンクリート型枠締付け部材１の再利用時に扁平潰し部分６に締付ナット５が強固に食い込んだままの状態のものが混入することもなく、再利用時の作業時間の短縮が図れる。
【００１５】
図３の先端方向からの水平図に示すように、本発明の第１実施例に係るコンクリート型枠締付け部材１は、締付ナット５の孔の内径より大きく、かつ該締付ナット５の外径より小さい略円板状の抑止板７を設けている。これにより、締付ナット５が扁平潰し部分６に食い込むことを防止しつつ、電動工具により締付ナット５を回転させる際に抑止板７が電動工具の障害とならない構造となっている。
【００１６】
図４は、本発明の第１実施例に係るコンクリート型枠締付け部材１の一般的な使用状態図である。
コンクリート型枠を用いてコンクリートを打設成形する際、型枠用のセキ板８に孔を設け、その孔に両端にピーコン１１を嵌合させたセパレータ１０を差し込み貫通させる。次に、セキ板８の外側に突出したセパレータ１０の先端を、コンクリート型枠締付け部材１の末端のセパレータ取付け部２に螺合させて型枠に装着する。この際、コンクリート型枠締付け部材１に扁平潰し部分６があることにより、該扁平潰し部分６に嵌合する専用工具を用いてコンクリート型枠締付け部材１を回転させることで、セパレータ１０の螺合が容易となる。セキ板８にパイプ材１２を押し付けた状態で、該コンクリート型枠締付け部材１の本体３バルブ部に外嵌させた座金４をパイプ材１２に押し当て、本体３バルブ部に螺合させた締付ナット５により、座金４を介してパイプ材１２をセキ板８に対し適切な圧力で締め付けて挟持し、セキ板８の内側の空間にコンクリートを打設する。
コンクリートの硬化後の型枠解体作業の際には、インパクトドライバなどの電動工具によりコンクリート型枠締付部材１の締付ナット５を回転駆動させて緩めて締付部材１を取り外す。この際、締付ナット５を電動工具の回転により緩めても抑止板７に達した時点で締付ナット５の回転駆動が抑止され、締付ナット５が扁平潰し部分６に食い込むことを防止しているのが、本発明の特徴である。
【００１７】
図５は、従来の一般的なコンクリート型枠締付け部材の先端拡大図である。
図５（Ａ）に示すように、コンクリート型枠締付け部材のボルト体３の先端に扁平潰し部分６を設けつつ、扁平潰し部分６にボルト体３のネジ山が連続しないようにネジ山を潰す、扁平潰し部分６を端がやや広がった構造とする等して締付ナットの脱落防止を図った製品が広く使われている。
しかし依然として、図５（Ｂ）に示すように、締付ナットが扁平潰し部分６に食い込み、これを緩めなければ締付ナットが回転させられなくなるという課題が残っている。
なお、扁平潰し部分６にボルト体３のネジ山が連続しないようにネジ山を潰す、とは扁平潰し部分６がボルトとしての用をなさない程度に形成されていればよいものであり、説明の便宜のために用いた図５（Ａ）のごとく、必ずしも扁平潰し部分６のネジ山構造を一切廃している必要はない。
【実施例２】
【００１８】
図６の先端付近の拡大図に示すように、本発明の第２実施例におけるンクリート型枠締付け部材の略円板状の抑止板１３は、溶融金属を盛り上げることにより形成されている。
締付ナット５を電動工具の回転により緩めても抑止板１３に達した時点で締付ナット５の回転駆動が抑止され、締付ナット５が扁平潰し部分６に食い込むことを防止する構造となっている。これにより、該コンクリート型枠締付け部材の再利用前に扁平潰し部分６に食い込んだ締付ナット５を緩める作業が不要となる。
また、該コンクリート型枠締付け部材の再利用時に扁平潰し部分６に締付ナット５が強固に食い込んだままの状態のものが混入することもなく、再利用時の作業時間の短縮が図れる。
【００１９】
図７の先端方向からの水平図に示すように、本発明の第２実施例に係るコンクリート型枠締付け部材は、締付ナット５の孔の内径より大きく、かつ該締付ナット５の外径より小さい略円板状の抑止板１３を設けている。これにより、締付ナット５が扁平潰し部分６に食い込むことを防止しつつ、電動工具により締付ナット５を回転させる際に抑止板７が電動工具の障害とならない構造となっている。
【００２０】
第２実施例は抑止板１３の構造を除き、その他は第１実施例と同様である。
【符号の説明】
【００２１】
１        コンクリート型枠締付け部材
２        セパレータ取付け部
３        本体
４        座金
５        締付ナット
６        扁平潰し部分
７        抑止板
８        セキ板
９        コンクリート
１０      セパレータ
１１      ピーコン
１２      パイプ材
１３      抑止板
【図１】
2015071887.tif 000003
【図２】
2015071887.tif 000004
【図３】
2015071887.tif 000005
【図４】
2015071887.tif 000006
【図５】
2015071887.tif 000007
【図６】
2015071887.tif 000008
【図７】
2015071887.tif 000009